(57)【要約】【課題】  容器本体の収納室に加工食品等の収納物を収納した後に、該容器本体の開口を閉封する合成樹脂製フィルム等の蓋体の外周縁部を隠蔽するとともに、その蓋体の外周縁部周辺を補強し、さらに意匠的な装飾効果の向上を図った、包装用容器用の飾りリングを提供すること。【解決手段】  容器本体２の上部外周に対して上方または下方から樹脂製の飾りリング１０を嵌合し、この飾りリング１０で前記蓋体５の外周縁部５ａを隠蔽するようにしてあること。 【選択図】          図１
2008150076.tif 000002
【特許請求の範囲】
【請求項１】
有底でコップ状の容器本体と、この容器本体の収納室に加工食品等の収納物を収納した後に、該容器本体の開口を閉封する合成樹脂製フィルム等の蓋体とを有する包装用容器において、
前記容器本体の上部外周に対して上方または下方から樹脂製の飾りリングを嵌合し、この飾りリングで前記蓋体の外周縁部を隠蔽するようにしてあることを特徴とする包装用容器用の飾りリング。
【請求項２】
前記飾りリングは、容器本体より取り外し自在に設けてある請求項１に記載の包装用容器用の飾りリング。
【発明の詳細な説明】
【技術分野】
【０００１】
本発明は、ゼリーやプリンや水ようかん等の加工食品の包装に使用される包装用容器において、該包装用容器の上部開口縁部に嵌合される、包装用容器用の樹脂製の飾りリングに関する。
【背景技術】
【０００２】
従来、この種の包装用容器としては、特開平８−９１４３７号公報(特許文献１)に記載された包装用容器が知られている。この包装用容器は、有底で上部開口周辺にフランジ部を形成したカップ状の容器本体と、この容器本体の収納室に水ようかん等の加工食品等の収納物を収納した後に、該容器本体の開口を閉封する合成樹脂製フィルム等の蓋体とを有するものであって、前記容器本体のフランジ部と前記蓋体とを、収納物を収納した後に、熱融着して密封してなるものである。
【０００３】
そして、収納物を食する場合には、前記蓋体に形成したつまみを把持し引き上げて収納物を容器本体から取り出して、食べるようにしてある。
なお、この特許文献１には、前記蓋体を隠蔽するような飾りリングは何ら設けられていない。
【０００４】
【特許文献１】特開平８−９１４３７号公報
【発明の開示】
【発明が解決しようとする課題】
【０００５】
しかるに、特許文献１の包装用容器は、容器本体のフランジ部と前記蓋体とを、収納物を収納した後に、熱融着して密封してなるものであるから、前記フランジ部が容器本体の胴部より外方へ突出する。そのため、外観的に見苦しいばかりか、この包装用容器の多数個を段ボール箱などに箱詰めする場合に、隣り合う各包装用容器のフランジ部の突出部同士が当接して、その突出部の水平長さだけ無駄な収納空間となり段ボール箱への収納個数が少なくなり、更に、上記段ボール箱の運送時などにおいて、各包装用容器の突出部同士の擦れ合いや衝撃などによって蓋体が剥離して包装用容器が開封する虞れがあった。
【０００６】
本発明は、上記特許文献１の包装用容器の問題点を解消するだけではなく、容器本体の上部外周に対して上方または下方から樹脂製の飾りリングを嵌合することにより、この飾りリングで蓋体の外周縁部を隠蔽するとともに、その蓋体の外周縁部周辺を補強し、さらにこの飾りリングの形状や色彩を色々と変更することによって意匠的な装飾効果の向上を図った、包装用容器用の飾りリングを提供することを目的とする。
【課題を解決するための手段】
【０００７】
上記目的を達成するため、本発明の請求項１記載の包装用容器用の飾りリングは、有底でコップ状の容器本体と、この容器本体の収納室に加工食品等の収納物を収納した後に、該容器本体の開口を閉封する合成樹脂製フィルム等の蓋体とを有する包装用容器において、
前記容器本体の上部外周に対して上方または下方から樹脂製の飾りリングを嵌合し、この飾りリングで前記蓋体の外周縁部を隠蔽するようにしてあることを特徴とする。
【０００８】
ここで、「飾りリング」は、容器本体の上部外周に対して、上方または下方から外嵌合するものであるから、該飾りリングの内周面は、容器本体の上部外周に弾性的に嵌合するように形成されている。一方、飾りリングの内周面より外方は任意の形状に形成できる。
【０００９】
また、飾りリングは、容器本体の上部外周に外嵌合した状態において、合成樹脂製フィルム等の蓋体の外周縁部を、該飾りリングが常時に隠蔽するように移動不能に保持することもできる。また、収納物を食する際に、該蓋体の把持部を把持して容器本体の開口が開封できる距離だけ飾りリングを容器本体から一部移動するように設けることもできる。
【００１０】
しかしながら、この飾りリングは、容器本体から完全に取り外しできる(請求項２参照)方が望ましい。なぜなら、例えば収納物を食べ残した場合には、開封した蓋体を再度閉封してから、この蓋体の外周縁部を飾りリングで再度外嵌合することで、収納物が外部のごみ等で汚れたりするのを防止できるばかりか、飾りリングが設けてあることにより前述の利点を何度でも享受することができるからである。
【発明の効果】
【００１１】
本発明の請求項１記載の包装用容器用の飾りリングによれば、容器本体の上部外周に対して上方または下方から樹脂製の飾りリングを嵌合し、この飾りリングで前記蓋体の外周縁部を隠蔽するようにしてあるから、蓋体の外周縁部周辺が外観上見苦しくなくなるとともに、また、その蓋体の外周縁部周辺の補強にもなる。さらに、この飾りリングの形状や色彩を色々と変更することによって異なる意匠効果を図ることができる。
【００１２】
請求項２記載の包装用容器用の飾りリングによれば、飾りリングは容器本体より取り外し自在に設けてあるから、容器本体の収納物を食べ残した場合には、開封した前記蓋体を再度手で閉封してから、この蓋体の外周縁部を飾りリングで再度外嵌合することで、収納物が外部のごみ等で汚れるのを防止できるとともに、飾りリングが設けてあることにより前述の利点を何度でも享受することができる。
【発明を実施するための最良の形態】
【００１３】
この包装用容器用の飾りリングは、有底でコップ状の容器本体と、この容器本体の収納室に加工食品等の収納物を収納した後に、該容器本体の開口を閉封する合成樹脂製フィルム等の蓋体とを有する包装用容器に用いられるものであって、前記容器本体の上部外周に対して上方または下方から樹脂製の飾りリングを嵌合し、この飾りリングで前記蓋体の外周縁部を隠蔽するようにしてあることを特徴とする。
そして、前記飾りリングは容器本体より取り外し自在に設けてあるのが好ましい。
【実施例】
【００１４】
（実施例１）
本発明の実施例１を図１〜図１０に基づいて以下に説明する。
図１は、有底でコップ状の容器本体の収納室に収納物を収納した後に、前記容器本体の開口を合成樹脂製フィルム等の蓋体で閉封し、該蓋体の外周縁部を隠蔽するように容器本体の上方または下方から飾りリングを外嵌合した包装用容器の一部を破断して示した斜視図である。
図２は、図１に至る前段階において、前記飾りリングを容器本体の上方から外嵌合する場合を示す分解斜視図である。
図３は飾りリングの斜視図、図４は飾りリングの平面図、図５は底面図、図６は正面図、図７は背面図、図８は右側面図、図９は図４のＡ−Ａ線断面図、図１０は図１の部分縦断面図である。 
【００１５】
図１、図２において、１はゼリーやプリンや水ようかん等の加工食品を包装する包装用容器であって、この包装用容器１は、ポリスチロールやスチロール樹脂等で成形した透明材又は半透明材からなる有底でコップ状の容器本体２と、この容器本体２の収納室３に前記加工食品等の収納物Ｍを収納した後に、該容器本体２の開口４を熱溶着により閉封する合成樹脂製フィルム等の蓋体５とからなっている。一般的に、前記状態で製品として市販されている。なお、５ｂはつまみで、このつまみ５ｂを把持して蓋体５を開放して開封する。
【００１６】
前記包装用容器１において、この発明は、容器本体２の上部外周に対して上方または下方から(図２では上方からであるが、下方からでもよい。)樹脂製の飾りリング１０を嵌合し、この飾りリング１０で前記蓋体５の外周縁部５ａ(つまみ５ｂは除く)を隠蔽するようにしてある(図１参照)。  
【００１７】
飾りリング１０は、全体が弾性を有する樹脂製のもので製作され、容器本体２の上部外周に外嵌合される筒状胴部１１と、この筒状胴部１１の上端縁部より外方へ向け一体に突出させた飾り部１２とからなっている。前記筒状胴部１１の内周面１１ａは容器本体２の上部外周面を弾性的に外嵌合できるように、容器本体２の上部外周面と相似形でそれより少し径小としてある。また前記飾り部１２は任意の形状を採用できるが、この実施例では、容器本体２の上部外周面を前記筒状胴部１１で弾性的に外嵌合した状態において、図１に示されているように、平面視で桜の花の形状になるように、平面図において飾りリング１０の円周の五個所に円弧状飾り部１２を形成するとともに、該円弧状の飾り部１２の中央部外側に切欠き１２ａを形成している。この飾りリング１０は合成樹脂で一体に成形される。
【００１８】
容器本体２は、その材質は任意に選定できるが、この実施例では、ポリスチロールやスチロール樹脂等で硬質に成形して例えば透明又は半透明としてある。また、該容器本体２の上端部より下端部に向けて漸次に小径となるようにしてあり、容器本体２の上部外周(蓋体５も含む。)に対して上方から飾りリング１０を弾性的に外嵌合して、店頭等で販売する最終製品とする。一方、飾りリング１０を容器本体２より取り外す場合には、容器本体２が上端部より下端部に向けて漸次に小径としてあるから、飾りリング１０を下方へ降下させて取り外し易くしてある。  
【００１９】
次に、飾りリング１０の使用例を以下に説明する。
先ず、ゼリーやプリン等の加工食品の収納物Ｍの食品生産工場では、既述したように、容器本体２の収納室３に収納物Ｍを菓子製造機等で充填した後に、該容器本体２の開口４を合成樹脂製フィルム等の蓋体５で熱溶着等により閉封する(図２参照)。  
【００２０】
上記状態の包装用容器１に飾りリング１０をセットするには、菓子製造工場又は菓子販売時において、図２に示すように、蓋体５を閉封した容器本体１の上方から飾りリング１０を押し下げ、図１に示すように、飾りリング１０の筒状胴部１１で容器本体１の上部外周（蓋体５の外周縁部５ａを含む。）を外嵌合する。これによって、飾りリング１０が蓋体５の外周縁部５ａを隠蔽するので、蓋体５の外周縁部５ａ周辺が外観上見苦しくなくなるとともに、意匠的装飾効果があるほか、その補強にもなる。
【００２１】
この場合、包装用容器１への飾りリング１０のセットを、菓子販売現場において販売業者が行うことにすると、蓋体５つき容器本体２と、飾りリング１０とは別個に分離されているため、この包装用容器の製品多数を梱包するのに嵩張らないなどの利点がある。  
【００２２】
容器本体２内の加工食品等の収納物Ｗを食べる際には、飾りリング１０を手指で下方へ押し下げることにより容器本体２から取り外した後、前記合成樹脂製フィルム等の蓋体５のつまみ５ｂを把持して該蓋体５を剥がして食する。食べ残しがある場合には、容器本体２の開口を手指により前記蓋体５で閉封して、この蓋体５を上方から前記飾りリング１０で被覆することができる。  
【００２３】
（実施例２）
図１１は、本発明に係る包装用容器用の飾りリングの実施例２を示す。この場合は、前記実施例１で示される如き、蓋体５つき容器本体２は省略している。
この実施例２の飾りリング１０は、筒状胴部１１の内周面１１ｂを断面円形状に形成するとともに、筒状胴部１１より外方へ突出する飾り部を上段２段にして、上部飾り部１３と下部飾り部１４としたことに特徴を有する。しかも、上部飾り部１３と下部飾り部１４とは相互に円周方向にずらしている。図１１で１３ａ、１４ａは上部飾り部１３、下部飾り部１４の切欠きである。
【００２４】
この場合の蓋体５つき容器本体２は、図１及び図２の如き形状のものや、多角形状や円形状などでもよく、要するに、前記飾りリング１０が外嵌合できて保持できるものであれば、適宜形状のものが採用できる。
【００２５】
（実施例３）
図１２は、本発明に係る包装用容器用の飾りリングの実施例３を示す。この場合も、前記実施例１で示される如き、蓋体５つき容器本体２は省略している。
この実施例３の飾りリング１０は、筒状胴部１１の内周面１１ｃを断面六角形状に形成するとともに、筒状胴部１１より外方へ突出する飾り部１５…１５を筒状胴部１１の上部外周の等配位置に一体形成したことに特徴を有する。図１２で、１５ａは飾り部１５の切欠きである。
この場合の蓋体５つき容器本体２の形状等は、図１１の場合と同様であるので、説明を省略する。
【００２６】
飾りリング１０の形状は、上記各実施例で示したものに限定されるものではなく、適宜設計変更できる。
また、容器本体２の形状も問わないが、飾りリング１０が嵌合されてずり落ちないものでなければならない。また、容器本体２の外径も、上端から下端に向けて径小のものに限らず、上下両端に至るまで同径などでもよく、適宜選定できる。
【００２７】
容器本体２から飾りリング１０を取り外す方法は、前記実施例では、下方へ押し下げる方法を採ったが、上方へ引き上げる方法でも良い。
【図面の簡単な説明】
【００２８】
【図１】本発明の実施例１の飾りリングを使用した包装用容器の一部を破断した斜視図である。
【図２】飾りリングを容器本体の上方から外嵌合する場合を示す分解斜視図である。
【図３】飾りリングの斜視図である。
【図４】飾りリングの平面図である。
【図５】飾りリングの底面図である。
【図６】飾りリングの正面図である。
【図７】飾りリングの背面図である。
【図８】飾りリングの右側面図である。
【図９】図４のＡ−Ａ線断面図である。
【図１０】図１の部分縦断面図である。
【図１１】本発明の実施例２の飾りリングの斜視図である。
【図１２】本発明の実施例３の飾りリングの斜視図である。
【符号の説明】
【００２９】
１                包装用容器
２                容器本体
３                収納室
４                開口
５                蓋体
５ａ              外周縁部
１０              飾りリング
１１              筒状胴部
１１ａ，１１ｂ，１１ｃ      内周面
１２              飾り部
１３              上部飾り部
１４              下部飾り部
１５              飾り部
Ｍ                収納物
【図１】
2008150076.tif 000003
【図２】
2008150076.tif 000004
【図３】
2008150076.tif 000005
【図４】
2008150076.tif 000006
【図５】
2008150076.tif 000007
【図６】
2008150076.tif 000008
【図７】
2008150076.tif 000009
【図８】
2008150076.tif 000010
【図９】
2008150076.tif 000011
【図１０】
2008150076.tif 000012
【図１１】
2008150076.tif 000013
【図１２】
2008150076.tif 000014